(57)【要約】【課題】紙詰まり解消後にされる画像形成においても、遅延なく、かつ確実に、補助電源装置の電力を利用して第二発熱体を発熱させる処理を実行できるようにすること。【解決手段】商用電源から取得する電力で定着処理用の熱を発生する第一発熱体と、補助電源装置から取得する電力により定着処理用の熱を発生する第二発熱体とを備える定着装置と、前記第一発熱体および前記第二発熱体を発熱させる発熱制御手段と、前記定着装置を含み、記録紙の搬送経路を備える画像形成手段で記録紙の紙詰まりが生じたことを検知する紙詰まり検知手段と、前記紙詰まり検知手段により前記紙詰まりが生じたことが検知されたときに、前記補助電源装置が満充電でないと充電量検知手段により検知される場合、前記補助電源装置の充電を開始させる充電制御手段とを備える画像形成装置とする。【選択図】図２
2008107592.tif 000002
【特許請求の範囲】
【請求項１】
商用電源の電力を蓄電し、蓄電した電力により電力供給をする補助電源装置と、
商用電源から取得する電力で定着処理用の熱を発生する第一発熱体と、前記補助電源装置から取得する電力により定着処理用の熱を発生する第二発熱体とを備える定着装置と、
前記第一発熱体および前記第二発熱体を発熱させる発熱制御手段と、
前記定着装置を含み、記録紙の搬送経路を備えて、前記定着装置に記録紙を前記搬送経路により通過させて、記録紙への画像形成を行なう画像形成手段と、
前記画像形成手段における記録紙の紙詰まりを検知する紙詰まり検知手段と、
前記補助電源装置の充電量を検知する充電量検知手段と、
前記紙詰まり検知手段により前記紙詰まりが生じたと検知されたときに、前記充電量検知手段により前記補助電源装置が満充電でないと検知された場合に、前記補助電源装置の充電を開始させる充電制御手段とを備える画像形成装置。
【請求項２】
前記紙詰まり解消用に装置外形ケースに設けられた開閉自在のカバーが閉じられたことを検知するカバー動作検知手段を備え、
前記紙詰まり検知手段に前記紙詰まりが検知されなくなってから前記カバーが閉じられていると前記カバー動作検知手段に検知された後に、前記補助電源装置が満充電ではないと前記充電量検知手段に検知されている間、前記充電制御手段は、前記補助電源装置に充電を継続させ、前記発熱制御手段は、前記第一発熱体のみを発熱させて前記定着装置の立ち上げをさせる請求項１記載の画像形成装置。
【請求項３】
前記発熱制御手段は、前記紙詰まり検知手段に前記紙詰まりが検知されなくなってから前記カバーが閉じられていると前記カバー動作検知手段に検知された後に、前記充電制御手段が前記補助電源装置に充電を継続させている間、前記第一発熱体を、前記商用電源の定格電力から前記充電制御手段が前記充電に用いる電力を引いた残りの電力以下の電力で発熱させる請求項２記載の画像形成装置。
【請求項４】
前記紙詰まり検知手段に前記紙詰まりが検知されなくなってから前記カバーが閉じられていると前記カバー動作検知手段に検知された後に、前記充電制御手段が前記補助電源装置に充電を継続させ、前記発熱制御手段が前記第一発熱体のみを発熱させている間に、前記定着装置の立ち上げが完了すると、前記充電制御手段が前記補助電源装置の充電を停止させる請求項３記載の画像形成装置。
【請求項５】
前記紙詰まり解消用に装置外形ケースに設けられた開閉自在のカバーが閉じられたことを検知するカバー動作検知手段を備え、
前記紙詰まり検知手段に前記紙詰まりが検知されなくなってから前記カバーが閉じられていると前記カバー動作検知手段に検知され、かつ、前記補助電源装置が満充電ではないことが前記充電量検知手段に検知されなくなった後に、前記発熱制御手段は、前記第一発熱体および前記第二発熱体の両者を発熱させて前記定着装置の立ち上げをさせる請求項１記載の画像形成装置。
【請求項６】
前記発熱制御手段は、前記紙詰まりが解消された後に、立ち上げが完了した前記定着装置を前記画像形成手段が画像形成に用いるときに、前記第二発熱体を発熱させる請求項１記載の画像形成装置。
【発明の詳細な説明】
【技術分野】
【０００１】
商用電源の電力を蓄電し、蓄電した電力により電力供給をする補助電源装置と、商用電源からの電力で発熱する第一発熱体および前記補助電源装置からの電力により発熱する第二発熱体を備える定着装置を有した画像形成装置に関する。
【背景技術】
【０００２】
従来より、コピー機、プリンタ、ファックス、スキャナ、あるいはいわゆる複合機といった画像形成装置が用いられている。
【０００３】
これら画像形成装置では、商用電源の電力を蓄電し、蓄電した電力により電力供給をする補助電源装置が設けられる。そして、定着装置に、商用電源から取得する電力で定着処理用の熱を発生する第一発熱体の他に、前記補助電源装置から取得する電力で定着処理用の熱を前記第一発熱体と共に発生する第二発熱体が設けられて、定着装置の立ち上げ時に、急速に、定着ローラ等の加熱をできるようにしている。
【０００４】
ここで、定着装置の立ち上げをしたい場合に、補助電源装置の蓄電量が不足した状態となっていることもある。そこで、かかる補助電源装置の蓄電量が不足するときには、商用電源の電力のみを用いて定着装置の立ち上げを行なうようにすることも提案されている（特許文献１〜４参照）。
【０００５】
一方、画像形成装置においては、画像形成中に、いわゆるジャム（紙詰まり）が発生することがある。紙詰まりが発生すると、画像形成は停止され、操作パネル等に紙詰まり発生が表示されて、ユーザが、装置カバーを開けてジャムを解消させる。そして、ユーザがジャムを解消し、装置カバーが閉じられてから、画像形成が再開される。
【０００６】
ここで、かかる紙詰まり発生時には、ユーザが装置カバーを開けて、装置内部を触ることもあり、装置が全停止されて、定着装置の２つの発熱体の発熱も行なわないようにされ、この結果、定着装置の定着ローラ等の温度が低下する。
【特許文献１】特開２００３−２５７５９０号公報
【特許文献２】特開２００４−２００１４９号公報
【特許文献３】特開２００６−０５８７３１号公報
【特許文献４】特開２００５−２２８８６７号公報
【発明の開示】
【発明が解決しようとする課題】
【０００７】
紙詰まり解消後には、定着装置を立ち上げる必要があるが、補助電源装置に電力が残っていない場合には、第二発熱体を発熱させることができず、定着装置の立ち上げを迅速に行なうことができない。
【０００８】
また、紙詰まり解消後に画像形成を行なうときに、あらためて補助電源装置の充電をすれば、充電をさせた後には第二発熱体を用いることができるようになるが、充電時間のために処理が遅延する。
【０００９】
本発明は、この点に鑑みてされたものであり、紙詰まり解消後にされる画像形成においても、遅延なくかつ確実に、補助電源装置の電力を利用して第二発熱体を発熱させる処理を実行できるようにすることを目的とする。
【課題を解決するための手段】
【００１０】
請求項１記載の発明は、商用電源の電力を蓄電し、蓄電した電力により電力供給をする補助電源装置と、商用電源から取得する電力で定着処理用の熱を発生する第一発熱体と、前記補助電源装置から取得する電力により定着処理用の熱を発生する第二発熱体とを備える定着装置と、前記第一発熱体および前記第二発熱体を発熱させる発熱制御手段と、前記定着装置を含み、記録紙の搬送経路を備えて、前記定着装置に記録紙を前記搬送経路により通過させて、記録紙への画像形成を行なう画像形成手段と、前記画像形成手段における記録紙の紙詰まりを検知する紙詰まり検知手段と、前記補助電源装置の充電量を検知する充電量検知手段と、前記紙詰まり検知手段により前記紙詰まりが生じたと検知されたときに、前記充電量検知手段により前記補助電源装置が満充電でないと検知された場合に、前記補助電源装置の充電を開始させる充電制御手段とを備える画像形成装置である。
【００１１】
この構成によれば、前記紙詰まり検知手段により前記紙詰まりが生じたと検知されたときに、前記充電量検知手段により前記補助電源装置が満充電でないと検知された場合に、前記補助電源装置の充電が開始されるため、ユーザによる紙詰まり解消操作の時間を利用して補助電源装置を充電でき、紙詰まり解消後に、補助電源装置の電力を利用して第二発熱体を発熱させる処理を、遅延なくかつ確実に、実行できる。
【００１２】
請求項２記載の発明は、前記紙詰まり解消用に装置外形ケースに設けられた開閉自在のカバーが閉じられたことを検知するカバー動作検知手段を備え、前記紙詰まり検知手段に前記紙詰まりが検知されなくなってから前記カバーが閉じられていると前記カバー動作検知手段に検知された後に、前記補助電源装置が満充電ではないと前記充電量検知手段に検知されている間、前記充電制御手段は、前記補助電源装置に充電を継続させ、前記発熱制御手段は、前記第一発熱体のみを発熱させて前記定着装置の立ち上げをさせる請求項１記載の画像形成装置である。
【００１３】
この構成にすれば、補助電源装置を充電しつつも、第一発熱体の発熱により、定着装置の立ち上げを早期に開始させることができ、定着装置が早く立ち上がるようにできる。
【００１４】
請求項３記載の発明は、前記発熱制御手段は、前記紙詰まり検知手段に前記紙詰まりが検知されなくなってから前記カバーが閉じられていると前記カバー動作検知手段に検知された後に、前記充電制御手段が前記補助電源装置に充電を継続させている間、前記第一発熱体を、前記商用電源の定格電力から前記充電制御手段が前記充電に用いる電力を引いた残りの電力以下の電力で発熱させる請求項２記載の画像形成装置である。
【００１５】
この構成にすれば、補助電源装置への充電を行ないつつ、第一発熱体を発熱させることができる。
【００１６】
請求項４記載の発明は、前記紙詰まり検知手段に前記紙詰まりが検知されなくなってから前記カバーが閉じられていると前記カバー動作検知手段に検知された後に、前記充電制御手段が前記補助電源装置に充電を継続させ、前記発熱制御手段が前記第一発熱体のみを発熱させている間に、前記定着装置の立ち上げが完了すると、前記充電制御手段が前記補助電源装置の充電を停止させる請求項３記載の画像形成装置である。
【００１７】
この構成にすれば、定着装置の立ち上げが完了した場合には充電を停止させることができ、定着装置の立ち上げが完了したにも拘わらず、むやみに充電が停止されずにいることを回避でき、充電により遅延されずに画像形成を即座に開始できる。
【００１８】
請求項５記載の発明は、前記紙詰まり解消用に装置外形ケースに設けられた開閉自在のカバーが閉じられたことを検知するカバー動作検知手段を備え、前記紙詰まり検知手段に前記紙詰まりが検知されなくなってから前記カバーが閉じられていると前記カバー動作検知手段に検知され、かつ、前記補助電源装置が満充電ではないことが前記充電量検知手段に検知されなくなった後に、前記発熱制御手段は、前記第一発熱体および前記第二発熱体の両者を発熱させて前記定着装置の急速立ち上げをさせる請求項１記載の画像形成装置である。
【００１９】
請求項６記載の発明は、前記発熱制御手段は、前記紙詰まりが解消された後に、立ち上げが完了した前記定着装置を前記画像形成手段が画像形成に用いるときに、前記第二発熱体を発熱させる請求項１記載の画像形成装置である。
【００２０】
この構成にすれば、紙詰まり解消後に行なわれる印字処理で、遅延なくかつ確実に、第二発熱体の発熱を実行させることができる。
【００２１】
これにより、たとえば、定着ローラ等の端部などで、定着処理が不適切になることや、印字処理に先立って長いエージング動作の時間をとらざるを得なくなることを、遅延を生じさせることなく、確実に、回避することができる。
【発明の効果】
【００２２】
本発明によれば、紙詰まり解消後の画像形成においても、遅延なくかつ確実に、補助電源装置の電力を利用して第二発熱体を発熱させる処理を実行することができる。
【発明を実施するための最良の形態】
【００２３】
以下、本発明の一実施形態に係る複写機１について図面を参照して説明する。
【００２４】
図１は、複写機１を示す全体構成図である。
【００２５】
複写機１は、特許請求の範囲記載の「画像形成装置」の一例である。
【００２６】
複写機１は、複写を行なう原稿がセットされて、セットされた原稿の画像を読み取る画像読取部２１０と、記録紙Ｐが備えられる給紙部２２０と、給紙部２２０から延びる記録紙Ｐの搬送経路２３０と、この搬送経路２３０の途中に設けられ、搬送される記録紙Ｐに対して上述の画像読取部２１０により読み取られた画像を形成させる画像形成部２４０と、同じく搬送経路２３０の途中で、この画像形成部２４０よりも下流側に設けられていて、記録紙Ｐに対して、形成された画像の定着処理を行なう定着装置４００と、定着装置４００により画像が定着された記録紙Ｐが排出される排出部２５０と、搬送経路２３０における紙詰まり（いわゆるジャム）を検知するジャム検知センサ８００と、扉閉じ検知センサ８０１と、これらの各構成の動作を制御する制御部３００とを備える。
【００２７】
複写機１では、搬送経路２３０に記録紙Ｐが搬送されて画像を記録紙Ｐに記録する処理（以下、印字処理と呼ぶこととする）がされる際に、搬送される記録紙Ｐが、搬送経路２３０の途中で紙詰まりを起こすことがある。
【００２８】
ジャム検知センサ８００は、かかる紙詰まりを検知するセンサである。なお、図示するジャム検知センサ８００の位置や個数などは、単なる一例を示したものである。
【００２９】
複写機１は、紙詰まりが起きると、搬送経路２３０の記録紙搬送動作や、画像形成部２４０による記録紙へのトナー像形成動作、給紙部２２０による給紙動作などを全停止させることで、ユーザが、複写機１のフロントカバー（図略）を開けて、搬送経路２３０等が設けられた複写機１の内部を操作して紙詰まりを解消することができるようにする。
【００３０】
このフロントカバーは、特許請求の範囲記載の「カバー」の一例である。
【００３１】
複写機１のフロントカバー（上述）とは、複写機１の、図１における、給紙部２２０、搬送経路２３０、画像形成部２４０、定着装置４００などの構成の前面（図面における手前側）に、開閉可能に装置外形ケースに設けられた扉である。ユーザは、この扉を開ければ、搬送経路２３０の途中で停止する紙詰まりを起こした記録紙を、搬送経路２３０から取り除くことなどをして、紙詰まりを解消させ、複写機１が画像形成を再開するようにさせることができる。このフロントカバーは、閉じられれば、ユーザが誤って、給紙部２２０、搬送経路２３０、画像形成部２４０、定着装置４００などに触れてしまうことがないように、これら搬送経路２３０や画像形成部２４０等を保護する。
【００３２】
扉閉じ検知センサ８０１は、複写機１のフロントカバーをユーザが閉じたときに、その、扉が閉じられたことを検知するセンサである。
【００３３】
ジャム検知センサ８００は、特許請求の範囲記載の「紙詰まり検知手段」の一例を構成する。また、給紙部２２０、搬送経路２３０、画像形成部２４０、定着装置４００、および排出部２５０は、特許請求の範囲記載の「画像形成手段」の一例を構成する。また、扉閉じ検知センサ８０１は、特許請求の範囲記載の「カバー動作検知手段」の一例を構成する。
【００３４】
図２は、複写機１の構成の詳細を示すブロック図である。
【００３５】
図２に示す構成のうちで、制御部３００と、定着装置４００と、ジャム検知センサ８００と、扉閉じ検知センサ８０１とについては、図１でも示した。
【００３６】
図２においては、複写機１が有する構成の間に設けられた電力伝送線を実線により示し、各構成の間での制御信号などの情報の伝達線を、破線で示して、両者を区別している。
【００３７】
補助電源装置５００は、ＡＣ入力（商用電源）から電力を取得して、取得される電力を蓄電し、蓄電した電力によって定着装置４００へ電力供給を行なう電源装置である。ＡＣ入力には定格電力（たとえば１５００Ｗ）があり、単位時間に定着装置４００やその他の複写機１の各部へ供給する電力の総量は、この定格電力を超えることができないが、予めＡＣ入力よりこの補助電源装置５００へ電力を蓄電させておけば、ＡＣ入力の定格電力を、この補助電源装置５００が供給する電力分だけ超える電力で、複写機１の動作を行なわせることができる。
【００３８】
補助電源装置５００は、キャパシタ装置５１０と、充電部５１１と、放電部５１２と、補助電源制御部５１３と、蓄電量検知部５１４とを備える。
【００３９】
補助電源装置５００は、特許請求の範囲の記載における「補助電源装置」の一例である。
【００４０】
キャパシタ装置５１０は、大容量キャパシタを直列にして構成される蓄電装置である。
【００４１】
蓄電量検知部５１４は、キャパシタ装置５１０の蓄電量を検知する。蓄電量検知部５１４は、キャパシタ装置５１０に接続する電圧計測回路などにより構成することができる。
【００４２】
この蓄電量検知部５１４は、特許請求の範囲記載の「充電量検知手段」の一例である。
【００４３】
充電部５１１は、ＡＣ入力から電力を取得して、取得される電力を上述のキャパシタ装置５１０に充電する。充電部５１１は、整流器（たとえばダイオードブリッジ）を介してＡＣ入力から電力を取得し、整流器によって整流された後の直流電力をキャパシタ装置５１０へと供給して、キャパシタ装置５１０を充電する。
【００４４】
放電部５１２は、キャパシタ装置５１０に放電を行なわせて、キャパシタ装置５１０に蓄えられた電力を、定着装置４００の第二のヒータ４２２へと供給する。
【００４５】
補助電源制御部５１３は、これら充電部５１１および放電部５１２の制御を行なう。補助電源制御部５１３は、制御部３００から制御信号を入力されて、入力される制御信号に応じた制御を充電部５１１および放電部５１２に対して行なう。なお、補助電源制御部５１３は必須ではない。制御部３００から充電部５１１へ直接、制御信号が入力されて充電部５１１の動作制御がされたり、制御部３００から放電部５１２へ直接、制御信号が入力されて放電部５１２の動作制御がされたりするものとしてもよい。
【００４６】
定着装置４００は、記録紙の搬送経路２３０を搬送される記録紙Ｐのトナーを、定着ローラ等によって加熱することで、そのトナー像を記録紙Ｐへ定着させる（定着処理）。
【００４７】
定着装置４００は、特許請求の範囲記載の「定着装置」の一例である。
【００４８】
定着装置４００は、図２に示すように、第一のヒータ４２１（第一発熱体）と、第二のヒータ４２２（第二発熱体）と、第一ヒータ駆動回路４１０とを備える。
【００４９】
第一のヒータ４２１は、特許請求の範囲記載の「第一発熱体」の一例であり、第二のヒータ４１２は、特許請求の範囲記載の「第二発熱体」の一例である。
【００５０】
第一のヒータ４２１は、ＡＣ入力から取得する電力（交流：ＡＣ）で定着ローラ等を加熱する熱を発生させる。
【００５１】
他方、第二のヒータ４２２は、前述の補助電源装置５００から取得する電力（直流：ＤＣ）により発熱する。第二のヒータ４２２は、補助電源装置５００の電力により発熱するので、ＡＣ入力により駆動される第一のヒータ４２２と同時に発熱できる。
【００５２】
第一ヒータ駆動回路４１０は、ＡＣ入力から電力を取得して、上述の第一のヒータ４２２へと供給する電力を生成して、生成された電力を当該第一のヒータ４２２へ供給する。
【００５３】
ここで、２つのヒータ４２１，４２２は、たとえばハロゲンヒータである。
【００５４】
制御部３００は、ＣＰＵ，ＲＯＭ，ＲＡＭ等により構成される情報処理装置である。制御部３００は、ＲＯＭに記憶されたソフトウェアを実行することにより、この複写機１各部の動作を制御する機能を奏する。
【００５５】
なお、制御部３００は、必ずしも、ＣＰＵ等によって構成されたコンピュータとして実現する必要はなく、シーケンサや順序回路として構成してもよい。
【００５６】
制御部３００は、定着装置４００の前述した第一ヒータ駆動回路４１０へと制御信号を入力して、第一ヒータ駆動回路４１０の動作制御を行ない、これによって、第一のヒータ４２１の発熱制御を行なうことができる。
【００５７】
また、制御部３００は、補助電源装置５００の前述した補助電源制御部５１３へ制御信号を入力することにより、この補助電源制御部５１３の動作を制御して、これによって、充電部５１１および放電部５１２の動作を制御して、キャパシタ装置５１０への充電、および、キャパシタ装置５１０から第一のヒータ４２２への放電を、それぞれ、制御することができる。制御部３００は、第一のヒータ４２２への放電を制御することで、第一のヒータ４２２の発熱制御を行なう。
【００５８】
制御部３００は、ジャム検知センサ８００および扉閉じ検知センサ８０１から、紙詰まりが発生したことを示す紙詰まり検知信号、および、フロントカバーが閉じられたことを示す扉閉じ検知信号を、それぞれ、取得する。
【００５９】
制御部３００は、ジャム検知センサ８００が紙詰まり検知信号を当該制御部３００へ入力すると、搬送経路２３０の記録紙搬送動作や、画像形成部２４０による記録紙へのトナー像形成動作などの複写機１各部の印字処理の動作を全停止させる。
【００６０】
また、制御部３００は、蓄電量検知部５１４から信号を入力され、この信号に基づいて、キャパシタ装置５１０の蓄電量を検知することができる。
【００６１】
図２には、制御部３００の機能の詳細を示す機能ブロック図である。図２では、破線により、各機能ブロックを示している。
【００６２】
制御部３００には、充電制御部３１０と、発熱制御部３２０と、印字処理制御部３３０との機能が実現される。
【００６３】
充電制御部３１０は、特許請求の範囲記載の「充電制御手段」の一例である。
【００６４】
発熱制御部３２０は、定着装置４００を立ち上げさせる。発熱制御部３２０は、複写機１の電源投入時や、複写機１がスリープモードから通常の運転モードへ制御部３００により復帰される場合などに、定着装置４００の冷えている定着ローラ等を再加熱するために、第一および第二のヒータ４２１，４２２の両者の駆動、または、第一のヒータ４２１のみの駆動のいずれかをさせる。発熱制御部３２０は、これにより、定着ローラ等を定着処理に適切な温度（以下、定着実行温度と呼ぶ）まで昇温させて、定着装置４００を立ち上げる。
【００６５】
なお、定着装置４００には温度センサが設けられており、この温度センサの検知結果を発熱制御部３２０は上述の定着ローラ等を定着実行温度へ加熱させる処理を行なう。
【００６６】
発熱制御部３２０は、第一発熱制御部３２１と第二発熱制御部３２２とを備える。発熱制御部３２０は、これらの機能ブロックの機能を用いて実現することができる。
【００６７】
発熱制御部３２０は、特許請求の範囲記載の「発熱制御手段」の一例である。
【００６８】
第一発熱制御部３２１は、第一および第二のヒータ４２１，４２２の両者を発熱させて、急速に定着ローラ等の加熱を行なわせる。
【００６９】
また、第二発熱制御部３２２は、第一のヒータ４２１のみを発熱させて、比較的、ゆっくりと定着ローラ等を加熱させる。
【００７０】
発熱制御部３２０は、以下で特に説明する場合以外の通常の場合は、第一発熱制御部３２１により急速に定着装置４００での加熱を行なわせる。
【００７１】
ここで、印字中に紙詰まりが生じた場合にも、複写機１の動作が前述のように全停止されて、ヒータ４２１，４２２の加熱もされないようになるため、定着装置４００の定着ローラ等の温度が低下する。
【００７２】
発熱制御部３２０は、印字中に紙詰まりが生じた後に、その紙詰まりが解消され、印字処理が再開されるときにも、定着ローラ等を定着実行温度へ再加熱するために、立ち上げ処理を行なう。発熱制御部３２０は、扉閉じ検知センサ８０１が扉閉じ検知信号を制御部３００に入力した場合に、立ち上げ処理を行なう。
【００７３】
印字処理制御部３３０は、複写機１が行なう印字処理を制御し、給紙部２２０、搬送経路２３０、画像形成部２４０、定着装置４００（図１）を動作させて、給紙部２２０に積載された記録紙Ｐに画像を記録させて、排出部２５０へと排出させる。
【００７４】
印字処理制御部３３０は、この印字処理に際して、定着装置４００を記録紙Ｐが通過することによる定着ローラ等の温度低下に応じて、定着ローラを適切な温度に保たせるために、第一のヒータ４２１を駆動させる。
【００７５】
そして、印字処理制御部３３０は、特に、ユーザが印刷スタートボタンを押すなどして印字処理が開始されてから初期の一定期間は、放電部５１２により、キャパシタ装置５１０の電力を第二のヒータ４２２へ放電させて、第二のヒータ４２２も駆動させる。
【００７６】
印字処理制御部３３０は、紙詰まりが解消された後に、再開される印字処理においても、印字処理が再開されてから初期の一定期間は、第二のヒータ４２２を駆動させる。
【００７７】
印字処理制御部３３０も、特許請求の範囲記載の「発熱制御手段」の一例である。ただし、この印字処理制御部３３０および前述の発熱制御部３２０の両者の全体によっても、特許請求の範囲記載の「発熱制御手段」の一例が構成される。
【００７８】
このように、第二のヒータ４２２は、紙詰まりが解消された後の処理において、印字処理制御部３３０と、第一発熱制御部３２１とによって駆動される。
【００７９】
充電制御部３１０は、充電部５１１によるキャパシタ装置５１０の充電を制御する。
【００８０】
充電制御部３１０は、紙詰まりが生じて、ジャム検知センサ８００がジャム検知信号を制御部３００に入力した場合に、充電部５１１にキャパシタ装置５１０への充電を行なわせる。つまり、紙詰まりが生じて、制御部３００が複写機１の動作を全停止させるときに、逆に、充電制御部３１０は、キャパシタ装置５１０の充電を開始させる。
【００８１】
充電制御部３１０は、蓄電量検知部５１４の検知結果を取得することで、キャパシタ装置５１０が満充電となったか否かや、キャパシタ装置５１０の残り蓄電量がいくらであるかを特定して、充電制御を行なう。
【００８２】
充電制御部３１０は、以下で説明する場合を除いては、いったんキャパシタ装置５１０に充電をさせ始めると、蓄電量検知部５１４により、キャパシタ装置５１０が満充電になったと検出されるまで、充電を行なわせ、満充電になったと検出されれば、充電を終了させる。
【００８３】
図３は、複写機１の動作の流れを示す図である。
【００８４】
ステップＳ０１では、ジャム検知センサ８００が、紙詰まりを検知し、紙詰まり検知信号を制御部３００へ出力する。
【００８５】
この図３の処理は、印字処理の途中で紙詰まりが生じたときに、複写機１が開始する動作である。
【００８６】
ステップＳ０２では、ジャム検知信号（ステップＳ０１）に応じて、制御部３００が、複写機１の動作を全停止させる。このとき、制御部３００は、定着装置４００の第一および第二のヒータ４２１，４２２の駆動も行なわないようにさせる。これにより、このステップＳ０２の処理を制御部が３００が行なった後、定着装置４００において、定着ローラ等が、しだいに、定着実行温度よりも低い温度へ低下し始める。
【００８７】
ステップＳ０３では、ジャム検知信号がステップＳ０１で制御部３００に入力されたことに応じて、充電制御部３１０（図２）が、キャパシタ装置５１０の充電を開始させる。
【００８８】
ステップＳ０４では、発熱制御部３２０が、扉閉じ検知センサ８０１から扉閉じ検知信号が制御部３００へ入力されることを監視し（ステップＳ０４：ＮＯ）、扉閉じ検知信号が制御部３００へ入力されるときに、ステップＳ０５以下の処理を開始させる（ステップＳ０４：ＹＥＳ）。
【００８９】
ステップＳ０５では、扉閉じ検知センサ８０１から扉閉じ検知信号が制御部３００へ入力された場合に（ステップＳ０４：ＹＥＳ）、発熱制御部３２０が、充電制御部３１０による充電（ステップＳ０３参照）で、キャパシタ装置５１０が既に満充電となったか否かを検知する。発熱制御部３２０は、充電制御部３１０を介して、蓄電量検知部５１４を用いて、この検知を行なう。
【００９０】
ステップＳ０６ａでは、蓄電量検知部５１４が、キャパシタ装置５１０が既に満充電となっていると検知した場合に（ステップＳ０５：ＹＥＳ）、充電制御部３１０が充電を停止させる。ただし、充電制御部３１０は、このステップＳ０６ａの処理の前でも、キャパシタ装置５１０が満充電となったことが蓄電量検知部５１４により検知されれば、充電部５１１によるキャパシタ装置５１０への充電を停止させる。充電制御部３１０は、ステップＳ０３を実行する際にすでにキャパシタ装置５１０が満充電と検知されている場合には、ステップＳ０３で充電を開始させない。
【００９１】
ステップＳ０７ａ〜Ｓ０８ａでは、発熱制御部３２０が、第一発熱制御部３２１を用いて、キャパシタ装置５１０により第二のヒータ４２２を加熱させて、定着装置４００の立ち上げを行なう。発熱制御部３２０は、第一発熱制御部３２１により２つのヒータ４２１，４２２を同時に駆動させて（ステップＳ０７ａ）、定着ローラ等が前述の定着実行温度まで昇温するまで、定着ローラ等を加熱させる（ステップＳ０８ａ：ＮＯ）。
【００９２】
ステップＳ１０では、こうして発熱制御部３２０が定着装置４００を立ち上げさせた後に、印字処理制御部３３０が、ステップＳ０１でジャム検知センサ８００が検知した紙詰まりにより中断された印字処理を再開させる。前述の通り、この印字処理でも、補助電源装置５００の電力により第二のヒータ４２２を駆動することが印字処理制御部３３０によってされる。
【００９３】
図４は、複写機１が紙詰まり解消後に行なう動作の３パターンを示した図である。図４では、紙詰まりが発生するタイミングＴ１から、時間経過にしたがって右方向へと時間軸をとって、複写機１が各タイミングで行なう３パターンの動作を、それぞれ、上段、中段、下段に示した。
【００９４】
図４の上段、中段、下段において、それぞれ、タイミングＴ１は、いずれも、紙詰まりが発生して、紙詰まり検知信号をジャム検知センサ８００が制御部３００へ入力するタイミングである。そして、タイミングＴ２は、その後に、フロントカバーが閉じられたことを示す扉閉じ検知信号が制御部３００へ入力されたタイミングである。タイミングＴ１では、図４の上段、中段、下段のいずれの場合でも、制御部３００が複写機１の動作を全停止をさせ（ステップＳ０２）、また、充電制御部３１０がキャパシタ装置５１０の充電を開始させる（ステップＳ０３）。
【００９５】
そして、上記に説明したようにして、扉閉じ検知信号が制御部３００へ入力されるまでに（タイミングＴ２、ステップＳ０４参照）、すでに、キャパシタ装置５１０が満充電であるときの（ステップＳ０５：ＹＥＳ）、複写機１の動作は、図４上段の動作である。
【００９６】
タイミングＴ２までに、充電部５１１によるキャパシタ装置５１０への充電によりキャパシタ装置５１０が満充電となって、そのことが充電制御部３１０に検知されて、充電制御部３１０が充電を停止させた場合（タイミングＴａ３ｘ）、扉閉じ検知信号が制御部３００へ入力されると（タイミングＴ２、ステップＳ０４：ＹＥＳ）、キャパシタ装置５１０の満充電が発熱制御部３２０に検知されて（ステップＳ０５：ＹＥＳ）、発熱制御部３２０が第一発熱制御部３２１により急速に定着ローラ等を加熱させる（ステップＳ０７ａ）。こうして、迅速に、先のタイミングＴ２からたとえば１０秒ほどが経過したタイミングＴａ３で、定着装置４００の立ち上げが完了して（ステップＳ０８ａ：ＹＥＳ）、印字処理制御部３３０が印字処理を再開させる（ステップＳ１０、タイミングＴａ３）。
【００９７】
なお、この、図４上段の動作は、たとえば、複写機１で、タイミングＴ１でジャムが発生するときに、キャパシタ装置５１０に比較的、多い電力があり、追加して充電する電力量が少ない場合の動作である。つまり、必要な充電時間（タイミングＴ１〜Ｔａ３ｘ）が、紙詰まりの解消に費やされるタイミングＴ１〜Ｔ２の時間に比べて相対的に短い場合の動作が図４上段の動作である。
【００９８】
他方、フロントカバーがユーザにより閉じられて扉閉じ検知信号が制御部３００へ扉閉じ検知センサ８０１から入力されたときに（タイミングＴ２、ステップＳ０４：ＹＥＳ）、未だキャパシタ装置５１０が満充電となっていなかったと発熱制御部３２０に検知された場合は（ステップＳ０５：ＮＯ）、複写機１は、ループして、Ｓ０７ｂ，Ｓ０８ｂ，ステップＳ０５の処理を繰り返し実行し、キャパシタ装置５１０が満充電になってから（ステップＳ０５：ＹＥＳ）、ステップＳ０６ａ以下の処理を行なう。
【００９９】
このときの複写機１の動作を、図４の中段に示している。このときには、図示するように、タイミングＴ２の扉閉じ検知信号が制御部３００へ入力されるときよりも後の、タイミングＴｂ３１でキャパシタ装置５１０が満充電となり、そのことが蓄電量検知部５１４に検知されて、充電が終了する（ステップＳ０５：ＹＥＳ）。そこで、このタイミングＴｂ３１から、発熱制御部３２０が、第一発熱制御部３２１により、２つのヒータ４２１，４２２を駆動させて、定着ローラを急速加熱して、定着装置４００を立ち上げさせる（ステップＳ０７ａ，Ｓ０８ａ、タイミングＴｂ３１〜タイミングＴｂ３２）。
【０１００】
ただし、ループして、ステップＳ０７ｂ，Ｓ０８ｂ，Ｓ０５，の処理を繰り返し複写機１が実行している間においても（タイミングＴ２〜Ｔｂ３１）、発熱制御部３２０が、第二発熱制御部３２２により、ＡＣ入力の電力により第一のヒータ４２１を発熱させている（ステップＳ０７ｂ）。この処理がされることで、タイミングＴｂ３１〜Ｔｂ３２の期間が短くなる。
【０１０１】
ステップＳ０７ｂでは、発熱制御部３２０が、第二発熱制御部３２２により、第一のヒータ４２１のみの発熱をさせる。
【０１０２】
ステップＳ０８ｂでは、同じく発熱制御部３２０が、定着ローラ等の温度が定着実行温度までは到達していないことを確認し、到達していない限り（ステップＳ０８ｂ：ＮＯ）、処理をループさせてステップＳ０５へ処理を戻させる。
【０１０３】
なお、第二発熱制御部３２２は、ＡＣ入力の定格電力から、充電制御部３１０が行なう充電の電力を引いた残りの電力以下の電力により、第一のヒータ４２１を発熱させる（ステップＳ０７ｂ、タイミングＴ２〜Ｔｂ３１）。後で説明する図４下段のタイミングＴ２〜Ｔｃ３の場合も同様であり、上記した電力により、第二発熱制御部３２２は、第一のヒータ４２１を発熱させる。
【０１０４】
なお、この、図４中段の動作は、必要な充電時間（タイミングＴ１〜Ｔｂ３１）が、図４上段の場合よりも、タイミングＴ１〜Ｔ２の時間に比べて長いときの動作である。
【０１０５】
最後に、第一のヒータ４２１のみの発熱をさせるうちに（ステップＳ０７ｂ，Ｓ０８ｂ，Ｓ０５のループ処理）、定着ローラ等が定着実行温度まで上昇し、定着装置４００を立ち上げ終えてしまったことを発熱制御部３２０が検知した場合（ステップＳ０８ｂ：ＹＥＳ）の処理を説明する。
【０１０６】
ステップＳ０９ｂでは、この場合に（ステップＳ０８ｂ：ＹＥＳ）、発熱制御部３２０が、充電制御部３１０へ命令を行なう等により、キャパシタ装置５１０の充電をその時点で停止させ（ステップＳ０９ｂ、図４下段のタイミングＴｃ３）、そして、この後に、印字処理制御部３３０が、立ち上げが完了した定着装置４００を用いて、印字処理を開始する（ステップＳ１０、図４下段のタイミングＴｃ３以降）。
【０１０７】
この図４下段の場合には、タイミングＴ１ではじまった充電は、第一のヒータ４２１の発熱のみにより定着装置４００の立ち上げが完了するタイミングＴｃ３でもまだ終了せずに、充電制御部３１０により強制的に、このタイミングＴｃ３で停止させられて、終了する。
【０１０８】
この場合、充電制御部３１０が、タイミングＴ１（ステップＳ０３）から充電を行なわせたキャパシタ装置５１０の電力は、ステップＳ０７ａで定着装置４００の立ち上げに用いられることはなく、ステップＳ１０で、印字処理制御部３３０により印字処理にのみ用いられる。
【０１０９】
なお、この、図４下段の動作は、必要な充電時間が、タイミングＴ１〜Ｔ２の時間に比べて著しく長い場合や、タイミングＴ２でフロントカバーが閉じられたときに定着ローラ等が著しく低い温度となっていて、定着ローラ等を加熱しなければならない加熱幅が著しく大きくなっている場合などにおける、複写機１の動作である。
【０１１０】
このような複写機１の構成によれば、ジャム検知センサ８００に紙詰まりが検知されると（タイミングＴ１、ステップＳ０４：ＹＥＳ）、キャパシタ装置５１０の充電がされるので（タイミングＴ１以降、ステップＳ０３以降）、ユーザによる紙詰まり解消操作の時間を利用してキャパシタ装置５１０の充電をでき、紙詰まり解消後に画像形成が再開されるときにキャパシタ装置５１０の電力を利用して第二のヒータ４２２を発熱させて行なわれる適切な処理を、遅延なくかつ確実に、実行させることができる。
【０１１１】
まず、定着装置４００を、第一のヒータ４２１と第二のヒータ４２２との両者を発熱させて急速立ち上げを、遅延なくかつ確実に、行なわせることができる（ステップＳ０７ａ、図４上段の場合におけるタイミングＴ２〜Ｔ３、図４中段の場合におけるタイミングＴｂ３１〜Ｔｂ３２）。また、印字処理（ステップＳ１０、タイミングＴａ３以降、タイミングＴｂ３２以降、タイミングＴｃ３以降）での第二のヒータ４２２の発熱を、遅延なくかつ確実に、実行させることができ、これにより、たとえば、定着ローラ等の端部で定着処理が不適切になることや、印字処理に先立って長いエージング動作の時間をとらなければならなくなることを、遅延なくかつ確実に、回避できる。
【０１１２】
また、この構成によれば、充電制御部３１０がキャパシタ装置５１０の充電を継続させている間に、予め、一定の電力で第一のヒータ４２１を発熱させておくので（図４中段の場合のタイミングＴ２〜Ｔｂ３１、図４下段の場合のタイミングＴ２〜Ｔｃ３）、定着装置４００が早く立ち上がるようにできる。
【０１１３】
また、この構成によれば、定着装置４００の立ち上げが完了した後まで、むやみに補助電源装置５００の充電が停止されずにいることを回避でき（図４下段の場合のタイミングＴｃ３、ステップＳ０８ｂ：ＮＯ、ステップＳ０９ｂ）、迅速に印刷が実行開始される。
【０１１４】
また、この構成によれば、フロントカバーが閉じられたことが扉閉じ検知センサ８０１に検知され、かつ、キャパシタ装置５１０が満充電ではないことが蓄電量検知部５１４に検知されなくなれば、２つのヒータ４２１，４２２の両者を発熱させて定着装置４００の急速立ち上げがされ（ステップＳ０７ａ、タイミングＴ２〜Ｔａ３、タイミングＴｂ３１〜Ｔｂ３２）、紙詰まり解消後の画像形成を迅速に開始させることができる。
【０１１５】
また、この構成によれば、紙詰まりが解消された後まで継続してキャパシタ装置５１０を十分に充電して（図４中段の場合のタイミングＴ２〜Ｔｂ３１、図４下段の場合のタイミングＴ２〜Ｔｃ３、ステップＳ０５，Ｓ０７ｂ，Ｓ０８ｂ：ＮＯ）、第一および第二の両者のヒータ４２１，４２２を発熱させて定着装置４００を急速立ち上げさせることができる。
【０１１６】
以下、他の実施形態について説明する。
【０１１７】
（Ａ）印字処理制御部３３０は、印字処理において（ステップＳ１０、図４上段のタイミングＴａ３以降，中段のタイミングＴｂ３２以降，下段のタイミングＴｃ３以降）、第一のヒータ４２２のみを発熱させるものとしてもよい。つまり、第二のヒータ４２２の発熱は、第一発熱制御部３２１のみが行なわせるものであり、印字処理制御部３３０は行なわせないものとしてもよい（ステップＳ０７ａ、図４上段のタイミングＴ２〜Ｔａ３，中段のタイミングＴｂ３１〜Ｔｂ３２参照）。
【０１１８】
（Ｂ）ステップＳ０９ｂでは、充電制御部３１０は、蓄電量検知部５１４によりキャパシタ装置５１０が満充電になったことが検知されるまで、キャパシタ装置５１０の充電を行なって、その後に充電を停止させるものとしてもよい。こうすれば、ステップＳ１０で、印字処理制御部３３０は、キャパシタ装置５１０が満充電の状態で、自己の処理を行なうことができる。
【０１１９】
（Ｃ）発熱制御部３２０は、ステップＳ０７ｂ、Ｓ０８ｂ、Ｓ０９ｂの処理を一切行なわず、ステップＳ０５では充電が完了するまでの単なる待機を行なって、満充電でない場合（ステップＳ０５：ＮＯ）、ステップＳ０７ｂの処理に移るのではなく、再びステップＳ０４の処理に戻るものとしてもよい。
【０１２０】
（Ｄ）フロントカバーをユーザが閉じて扉閉じ検知センサ８０１がそれを検知した場合は（ステップＳ０４：ＹＥＳ）、ステップＳ０５を飛ばして、ステップＳ０６ａの処理を複写機１は行なうものとして、つまり、ステップＳ０７ｂ，Ｓ０８ｂ，Ｓ０９ｂ，Ｓ０５の処理は複写機１は行なわないものとしてもよい。
【０１２１】
この場合、扉閉じ検知信号が扉閉じ検知センサ８０１により制御部３００へ入力されると（ステップＳ０４：ＹＥＳ）、充電制御部３１０は即座に充電を停止させて（ステップＳ０６ａ）、キャパシタ装置５１０が満充電となっていなくとも（前述したステップＳ０５の説明を参照）、発熱制御部３２０が、２つのヒータ４２１，４２２による定着装置４００の立ち上げを開始する（ステップＳ０７ａ，Ｓ０８ａ）。なお、かかる場合、発熱制御部３２０は、２つのヒータ４２１，４２２によらず、ＡＣ入力で駆動する第一のヒータ４２１のみにより、定着装置４００を立ち上げるものとしてもよい。
【０１２２】
（Ｅ）ステップＳ０７ａでも、ステップＳ０７ｂの場合と同様に、発熱制御部３２０は、第二発熱制御部３２２により、定着装置４００の立ち上げを行なうものとしてもよい（ステップＳ０７ａ、図４上段のタイミングＴ２〜Ｔａ３，中段のタイミングＴｂ３１〜Ｔｂ３２）。つまり、第二のヒータ４２２の発熱は、印字処理制御部３３０のみが行なわせるものであり、第一発熱制御部３２１は行なわせないものとしてもよい（ステップＳ１０、図４上段のタイミングＴａ３以降，中段のタイミングＴｂ３２以降，下段のタイミングＴｃ３以降）。
【０１２３】
（Ｆ）蓄電量検知部５１４の機能の少なくとも一部は、制御部３００において実現してもよく、たとえば、補助電源制御部５１３へ制御部３００が入力させた制御信号に基づき、制御部３００は、キャパシタ装置５１０の蓄電量を、計算によって求めることができるものとしてもよい。
【図面の簡単な説明】
【０１２４】
【図１】複写機の全体構成図である。
【図２】複写機の詳細な構成を示すブロック図である。
【図３】複写機の動作の流れを示す図である。
【図４】複写機が紙詰まり解消後に行なう動作の３パターンを示す図である。
【符号の説明】
【０１２５】
Ｐ  記録紙
１  複写機（画像形成装置）
２１０  画像読取部
２２０  給紙部（画像形成手段）
２３０  搬送経路（画像形成手段）
２４０  画像形成部（画像形成手段）
２５０  排出部（画像形成手段）
３００  制御部
３１０  充電制御部（充電制御手段）
３２０  発熱制御部（発熱制御手段）
３２１  第一発熱制御部
３２２  第二発熱制御部
３３０  印字処理制御部（発熱制御手段）
４００  定着装置（定着装置，画像形成手段）
４１０  第一ヒータ駆動回路
４２１  第一のヒータ（第一発熱体）
４２２  第二のヒータ（第二発熱体）
５００  補助電源装置（補助電源装置）
５１０  キャパシタ装置
５１１  充電部
５１２  放電部
５１３  補助電源制御部
５１４  蓄電量検知部（充電量検知手段）
８００  ジャム検知センサ（紙詰まり検知手段）
８０１  扉閉じ検知センサ（カバー動作検知手段）
【図１】
2008107592.tif 000003
【図２】
2008107592.tif 000004
【図３】
2008107592.tif 000005
【図４】
2008107592.tif 000006